(57)【要約】【課題】本発明は、電線を介して侵入する外部ノイズの影響を限界まで排除することのできる新規な電線のシールド構造を提供することを目的とする。【解決手段】高い電磁波遮断性、振動吸収性、熱発散性等を備えるマグネシウムを主成分とする金属箔テープを、電線の外周に螺旋を描くように巻き付けることによって、高性能シールド層を形成することができる。さらに、ＡＶケーブルにおいて、マグネシウムテープを信号線のＩＮ側からＯＵＴ側に向って、反時計回り（左回り）の螺旋を描くように巻き付けてシールド層を形成することによって、非常に高い再現性をもって原音を再現することができる。 【選択図】図１
2013518360.tif 000002
【特許請求の範囲】
【請求項１】
マグネシウムを主成分とするテープ状の金属箔を電線の外周に螺旋状に巻き付けて形成される、電線のシールド構造。
【請求項２】
前記金属箔は、マグネシウム含有率が９５％以上のマグネシウム金属箔である、請求項１に記載の電線のシールド構造。
【請求項３】
前記マグネシウム金属箔は、純マグネシウム箔である、請求項２に記載の電線のシールド構造。
【請求項４】
請求項１〜３のいずれか１項に記載の電線のシールド構造を備える、シールドケーブル。
【請求項５】
マグネシウムを主成分とするテープ状の金属箔を、ケーブルのＩＮ側からＯＵＴ側に向って螺旋状に巻き付けて形成されたシールド層を備える、ＡＶ機器接続用シールドケーブル。
【請求項６】
前記金属箔は、マグネシウム含有率が９５％以上のマグネシウム金属箔である、請求項５に記載のＡＶ機器接続用シールドケーブル。
【請求項７】
前記マグネシウム金属箔は、純マグネシウム箔である、請求項６に記載のＡＶ機器接続用シールドケーブル。
【請求項８】
前記シールド層は、前記金属箔をケーブルのＩＮ側からＯＵＴ側に向って反時計回りの螺旋を描くように巻き付けて形成される、請求項５〜７のいずれか１項に記載のＡＶ機器接続用シールドケーブル。
【請求項９】
前記金属箔は、ＩＮ側の端子と電気的に断絶し、かつ、ＯＵＴ側のコールド端子と電気的に接続される、請求項５〜８のいずれか１項に記載のＡＶ機器接続用シールドケーブル。
【請求項１０】
前記シールド層は、一本の連続したテープ状の金属箔によって形成される、請求項５〜９のいずれか１項に記載のＡＶ機器接続用シールドケーブル。
【請求項１１】
マグネシウム含有率が９５％以上の一本の連続したテープ状のマグネシウム金属箔を、ケーブルのＩＮ側からＯＵＴ側に向って反時計回りの螺旋を描くように巻き付けて形成されたシールド層を備え、前記マグネシウム金属箔は、ＩＮ側の端子と電気的に断絶し、かつ、ＯＵＴ側のコールド端子と電気的に接続される、ＡＶ機器接続用シールドケーブル。
【請求項１２】
ＲＣＡケーブルのシースに対して、マグネシウム含有率が９５％以上の一本の連続したテープ状のマグネシウム金属箔を、ケーブルのＩＮ側からＯＵＴ側に向って反時計回りの螺旋を描くように巻き付けてシールド層を形成したＡＶ機器接続用シールドケーブルであって、前記マグネシウム金属箔は、ＩＮ側のピンプラグと電気的に断絶し、かつ、ＯＵＴ側のピンプラグのボディを貫通して螺合された金属ねじを介してＯＵＴ側のコールド端子と電気的に接続される、ＡＶ機器接続用シールドケーブル。
【請求項１３】
前記シールド層の外周が熱収縮性チューブによって被覆された、請求項１２に記載のＡＶ機器接続用シールドケーブル。
【請求項１４】
電線をシールドする方法であって、マグネシウムを主成分とするテープ状の金属箔を前記電線の外周に螺旋状に巻き付けてシールドする方法。
【発明の詳細な説明】
【技術分野】
【０００１】
本発明は、電線のシールド構造に関し、より詳細には、マグネシウムを主成分とする電線のシールド構造に関する。
【背景技術】
【０００２】
一般に、電子機器への信号通信・電力供給等を目的とした各種電線は、電磁波や振動など、常に外部からのノイズに晒された状態で使用されている。電線が外部ノイズを拾ってしまうと、伝送中の信号が乱れ、コンピュータなどの精密電子機器においては、最悪の場合、誤作動が生じてしまうことがある。
【０００３】
このような外部ノイズの影響を低減すべく、従来、金属箔テープを使用して電線のシールドを形成することが検討されている。この点につき、特開２００４−６３４１８号公報（特許文献１）は、Ａｌ−ＰＥＴテープや銅蒸着ＰＥＴテープなどの金属箔テープを螺旋状に巻き付けてシールド層を形成した２芯平行シールドケーブルを開示する。これらの金属箔は、電磁波に対しては一定の遮蔽効果を奏するものの、振動吸収については十分な効果を奏するものとは言えなかった。また、近年の電子機器の高性能化、伝送信号の高速化、機器内配線の高密度化等に伴って、シールド効果の更なる向上が求められていた。
【０００４】
一方、ＡＶケーブルのように、繊細なアナログ信号を忠実に伝送することが要請される電線においては、外部ノイズの影響が出力の質（音質・画質）に如実に表れてしまうため、外部ノイズの影響を限界まで排除することが要請される。さらに、オーディオケーブルのシールド層を銅箔やアルミ箔で構成した場合、それらの金属材料に固有の共振成分が音信号に入り込んでしまうため、出力音の音色に違和感が生じてしまう（いわゆる、金属音がのってしまう）という問題があった。
【先行技術文献】
【特許文献】
【０００５】
【特許文献１】特開２００４−６３４１８号公報
【発明の概要】
【発明が解決しようとする課題】
【０００６】
本発明は、上記従来技術における課題に鑑みてなされたものであり、本発明は、電線を介して侵入する外部ノイズの影響を限界まで排除することのできる新規な電線のシールド構造を提供することを目的とする。
【課題を解決するための手段】
【０００７】
本発明者らは、電線を介して侵入する外部ノイズの影響を限界まで排除することのできる新規な電線のシールド構造につき鋭意検討した結果、実用金属であるマグネシウムが備える高い電磁波遮断性、振動吸収性、熱発散性等の物性に着目し、マグネシウムを主成分とするテープ状の金属箔を、電線の外周に螺旋を描くように巻き付けてシールド層を形成する構成に想到して本発明に至ったのである。
【０００８】
また、本発明者らは、マグネシウムを主成分とするテープ状の金属箔を、ＡＶケーブルのＩＮ側からＯＵＴ側に向って、反時計回り（左回り）の螺旋を描くように巻き付けてシールド層を形成することによって、非常に高い再現性をもって原音が再現される現象を発見し、本発明に至ったのである。
【発明の効果】
【０００９】
上述したように、本発明によれば、電線を介して侵入する外部ノイズの影響を限界まで排除することのできる新規な電線のシールド構造が提供される。
【図面の簡単な説明】
【００１０】
【図１】本実施形態のマグネシウムシールドケーブルを示す図。
【図２】本実施形態のマグネシウムシールドケーブルのＩＮ側近傍を拡大して示す図。
【図３】本実施形態のマグネシウムシールドケーブルのピンプラグの内部断面を示す図。
【図４】本実施形態のマグネシウムシールドケーブルの奏する作用効果を説明するための概念図。
【図５】吸収クランプ法による遮蔽効果の評価実験の結果を示す図。
【図６】本実施例のマグネシウムシールドケーブルの作製手順を時系列的に示す図。
【図７】本実施例のマグネシウムシールドケーブルのピンプラグのコールド端子とマグネシウム合金箔テープの電気的接続方法を示す図。
【発明を実施するための形態】
【００１１】
以下、本発明のマグネシウムを主成分とする電線のシールド構造（以下、マグネシウムシールド構造という）について、図面に示した実施の形態をもって説明するが、本発明は、図面に示した実施の形態に限定されるものではない。
【００１２】
図１は、本発明の実施形態であるマグネシウムシールドケーブル１０（以下、シールドケーブル１０として参照する）を示す図である。図１に示すシールドケーブル１０は、その両端に、それぞれ、ピンプラグ１２（ＯＵＴ側）およびピンプラグ１３（ＩＮ側）を備えるＲＣＡケーブルとして例示されている。図１（ａ）は、シールドケーブル１０の側面図を示し、図１（ｂ）は、図１（ａ）に示すシールドケーブル１０のＡ−Ａ線における断面図を示す。
【００１３】
図１（ｂ）に示されるように、シールドケーブル１０は、被覆された２本の信号線（すなわち、電線）を備える２芯ケーブルとして構成されており、ホット側（＋）に接続される信号線１４と、コールド側（−）に接続される信号線１６を備え、信号線１４および信号線１６は、既知のシールド構造である銅線ブレード１８によって被覆されている。
【００１４】
さらに、本実施形態のシールドケーブル１０においては、銅線ブレード１８の外周がマグネシウム・シールド層２０によって被覆されており、最外周が合成樹脂からなるシース２２によって被覆されて構成されている。
【００１５】
図１（ａ）においては、シールドケーブル１０について、説明の便宜のため、シース２２の一部を取り去り、内側のマグネシウム・シールド層２０を表出させて示している。図１（ａ）に示されるように、本実施形態におけるマグネシウム・シールド層２０は、テープ状の金属箔をシールドケーブル１０の長手方向に螺旋状に巻き付けることによって形成されている。本実施形態におけるテープ状の金属箔は、マグネシウムを主成分とする金属箔によって構成されている。実用金属であるマグネシウムは、従来のシールド層の材料として採用されてきた、銅（Ｃｕ）やアルミ（Ａｌ）などに比べて、より優れた電磁波遮断性ならびに振動吸収性を有する。また、その密度が小さいため、製品の軽量化に資するという利点を備える。
【００１６】
本実施形態においては、テープ状の金属箔として、マグネシウム合金箔を用いることができ、純マグネシウム箔を用いることが最も望ましい。マグネシウム合金箔を用いる場合は、マグネシウムの純度が高いほどよく、マグネシウムの含有率が９５％以上であることが好ましく、９６％以上であることがより好ましく、９７％以上であることがさらに好ましい。
【００１７】
次に、本発明のマグネシウムシールド構造の形成方法について、図１に示したシールドケーブル１０に基づいて説明する。図２は、本実施形態のシールドケーブル１０のＩＮ側近傍を拡大して示す図である。なお、図２においては、説明の便宜のため、シース２２を取り去った状態のシールドケーブル１０を示している。図２に示されるように、本実施形態におけるマグネシウムシールド構造に相当するマグネシウム・シールド層２０は、銅線ブレード１８の外周（すなわち、信号線１４および１６の外周）に対し、テープ状の金属箔テープ２０ａを螺旋状に巻き付けることによって形成されている。なお、本実施形態においては、ＩＮ側の始端からＯＵＴ側の終端に至るまでを、一本の連続した金属箔テープ２０ａを用いて巻き付けることが好ましい。
【００１８】
また、金属箔テープ２０ａの巻き付けに際しては、図２に示すように、金属箔テープ２０ａのテープ幅のおおよそ半分程度を重ねるようにして、テープ間に隙間を生じさせないように、均等に巻いていくことが好ましい。このような形で金属箔テープ２０ａを螺旋状に巻いていくことによって、使用の際にシールドケーブル１０が曲げられた場合であっても、マグネシウム・シールド層２０に隙間が生じたり、金属箔テープ２０ａが応力によって破断したりすることが防止される。
【００１９】
以上、本実施形態のシールドケーブル１０におけるマグネシウム・シールド層２０の形成方法について説明したが、次に、本実施形態のシールドケーブル１０におけるマグネシウム・シールド層２０の電気的な接続条件について、図３を参照して以下説明する。
【００２０】
図３は、本実施形態のシールドケーブル１０のピンプラグの内部断面を示す図であり、図３（ａ）は、ＩＮ側のピンプラグ１３の内部断面を示し、図３（ｂ）は、ＯＵＴ側のピンプラグ１２の内部断面を示す。図３（ａ）に示されるように、ＩＮ側のピンプラグ１３においては、信号線１６は、ピン１３ａにはんだ付けなどによって電気的に接続され、信号線１４は、ボディ１３ｂに同じくはんだ付けなどによって電気的に接続されている。一方、マグネシウム・シールド層２０とボディ１３ｂとの間にはシース２２が介在しており、マグネシウム・シールド層２０とボディ１３ｂとが電気的に断絶するように構成されている。
【００２１】
一方、図３（ｂ）に示されるように、ＯＵＴ側のピンプラグ１２においては、信号線１６および信号線１４が、それぞれ、ピン１２ａおよびボディ１２ｂにはんだ付けなどによって電気的に接続されている点についてはＩＮ側と同様であるが、ＯＵＴ側のピンプラグ１２においては、ＩＮ側と異なり、図中の矢印が示すように、マグネシウム・シールド層２０とボディ１２ｂとが、はんだ付け、圧着、圧接、その他の適切な方法によって電気的に接続するように構成されている。以上、本実施形態におけるマグネシウム・シールド層２０の電気的な接続条件について説明したが、次に、本発明のマグネシウムシールド構造が奏する作用効果について、同じく、シールドケーブル１０に基づいて説明する。
【００２２】
図４は、本実施形態のシールドケーブル１０の奏する作用効果を説明するための概念図である。ここでは、仮に、シールドケーブル１０のピンプラグ１３が図示しないＣＤ再生装置Ｘに接続され、ピンプラグ１２が図示しないアンプＹに接続されているものとして説明する。ＣＤ再生装置Ｘにおいて所定の音源ＣＤを再生した場合、ＣＤ再生装置Ｘから出力された音声信号は、シールドケーブル１０内の信号線を通り、矢印の方向（紙面の右から左）に伝送される。
【００２３】
一方で、音声信号が伝送される間、シールドケーブル１０は、外部ノイズ、すなわち、外部からの電磁波や振動などに晒される。外部ノイズ（Ｎ）は、シールドケーブル１０のシース２２を透過してマグネシウム・シールド層２０に到達する。ここで、本実施形態におけるマグネシウム・シールド層２０は、マグネシウムを主成分とする金属箔によって構成されており、マグネシウムは、電磁波遮断性が非常に高く、また、その振動吸収率は、実用金属中最も高いため、外部からシールドケーブル１０内に侵入した電磁波がマグネシウム・シールド層２０によって好適に遮断されるとともに、外部から伝播した振動がマグネシウム・シールド層２０に好適に吸収される。
【００２４】
さらに本実施形態におけるシールドケーブル１０において、上述したように、マグネシウム・シールド層２０を一本の連続した金属箔テープ２０ａによって形成し、かつ、そのＩＮ側端部をピンプラグ１３と電気的に断絶し、ＯＵＴ側端部をピンプラグ１２のボディ１２ｂ（すなわち、コールド端子（−））と電気的に接続するように構成した場合には、ノイズが伝播する方向がＩＮ側からＯＵＴ側へと整えられ、マグネシウム・シールド層２０が外部から拾ったノイズをＩＮ側のＣＤ再生装置Ｘにフィードバックさせることなく、ピンプラグ１２のボディ１２ｂ（すなわち、コールド端子（−））を経て、ＯＵＴ側のアンプＹのグランド（アース）に落とすことができる。以上、説明したように、本発明のマグネシウムシールド構造は、その材料として、電磁波遮断性および振動吸収性に共に優れたマグネシウムを採用することによって、伝送信号に対する外部ノイズの干渉を最大限に低減することができる。
【００２５】
以上、本発明のマグネシウムシールド構造について、図１〜図４に示す実施形態をもって説明してきたが、本発明のマグネシウムシールド構造は、上述した実施形態に限られるものではなく、要するに、マグネシウムを主成分とする金属箔テープが、電線の外周を覆うように螺旋状に巻かれてなるものは、本発明の範囲に含まれる。ここで、金属箔テープを電線の外周を覆うように巻く態様は、電線の被膜の外周面に直接金属箔テープを巻く態様であってもよく、複数の電線をまとめた束の外周に金属箔テープを巻く態様であってもよく、あるいは、既存の電線ケーブルのシースの外周面に対して金属箔テープを巻く態様であってもよく、複数の電線ケーブルをまとめた束の外周に金属箔テープを巻く態様であってもよい。
【００２６】
また、上述した説明においては、便宜上、ＲＣＡケーブルに基づいて本発明のマグネシウムシールド構造を説明してきたが、本発明のマグネシウムシールド構造の適用範囲は、特定の用途・規格を有する電線に限定されるものでなく、本発明のマグネシウムシールド構造は、コンピュータ関連機器の接続用ケーブル、ＡＶ関連機器の接続用ケーブルをはじめ、その他のあらゆる電子機器に接続されるケーブルに適用することができる。
【００２７】
コンピュータ関連機器の接続用ケーブルとしては、ＩＤＥケーブル、シリアルＡＴＡケーブル、ＨＤＭＩケーブル、ＬＡＮケーブル、モニタケーブル、ＵＳＢケーブル、ＩＥＥＥケーブル、ＳＣＳＩケーブル、プリンタケーブル、コンピュータ関連機器の主電源ケーブル等を例示することができる。特に、データの高速転送を行なうためのＳＣＳＩケーブルに本発明のマグネシウムシールド構造を適用することは有用であろう。
【００２８】
また、ＡＶ関連機器の接続用ケーブルとしては、ＡＶケーブル一般（オーディオケーブル・ビデオケーブル）、スピーカケーブル、マイクケーブル、Ｄ端子ケーブル、ＨＤＭＩケーブル、ギターケーブルをはじめとする電気楽器用ケーブル、ＡＶ関連機器の主電源ケーブル等を例示することができる。その他、本発明のマグネシウムシールド構造は、各種電子機器の接続用ケーブル、主電源ケーブル、アンテナケーブル、電話ケーブル、等に適用することもできる。
【００２９】
さらに、本発明のマグネシウムシールド構造は、電子機器の外部接続ケーブルのみならず、電子機器の内部配線に対しても適用することができる。パーソナル・コンピュータの内部配線で言えば、ＣＰＵファンやケースファンなどの冷却装置の電源用ケーブル、ハードディスクドライブやＤＶＤドライブなどの各種ドライブの電源用ケーブル、各種データ用ケーブル、等を例示することができる。以上、本発明のマグネシウムシールド構造の適用範囲について説明してきたが、本発明のマグネシウムシールド構造は、繊細なアナログ信号を忠実に伝送することが要請される電線に適用することによって、特に顕著な効果を奏するであろう。その中でも、本発明のマグネシウムシールド構造をＡＶ機器接続の用途に適用することには、以下に示す利点がある。
【００３０】
これまでのように、ＡＶケーブルのシールド層の材料として、銅（Ｃｕ）やアルミ（Ａｌ）等の他の金属を使用した場合、これらの金属の物性によって外部ノイズをキャンセルできたとしても、これらの金属自体は、信号線を伝播する音声信号に対して完全に中立ではなく、これらの金属に固有の振動が音声信号に干渉することは避けられない。このようなシールド層の材料金属による干渉が複合共振となって音声信号に入り込む結果、音源に録音されていないノイズがアンプに伝わってしまい、最終的な出力（音色）に聴感上の違和感が生じてしまう。
【００３１】
この点につき、本発明のマグネシウムシールド構造は、マグネシウムを主成分としているので、同様に、マグネシウムに固有の振動が音声信号に干渉することになるが、マグネシウムが音声信号に与える複合共振の影響は、木材が音声信号に与える複合共振の影響に非常に近いため、最終的な出力（音色）に聴感上の違和感をほとんど生じさせない。すなわち、音楽ＣＤなどに録音された原音の成分には、一般に、木材由来の複合共振が予め織り込まれているため、木材に近い音色を持つマグネシウムは、これらの音声信号と相性がよい。その結果、本発明のマグネシウムシールド構造は、ＡＶケーブルの用途においては、信号の乱れを防ぐだけでなく、原音のもつ質感をほとんど変化させないという特異な効果を奏する。
【００３２】
なお、ＡＶケーブルの用途においては、マグネシウム金属箔テープの巻き方向を、図２に示すように、ＩＮ側からＯＵＴ側に向って、反時計回り（左回り）の螺旋を描くように巻き付けることが好ましい。この理由については、明らかでないが、ＩＮ側からＯＵＴ側に向って、時計回り（右回り）の螺旋を描くように巻き付けた場合と比較して、反時計回り（左回り）の螺旋を描くように巻き付けた場合の方がより音の輪郭がはっきりするという現象を本発明者らは発見した。また、本発明者らは、マグネシウム金属箔テープにおけるマグネシウムの含有率が９７％以上の場合に、特に聴感が向上することを発見した。
【００３３】
以上、本発明を実施形態をもって説明してきたが、本発明は、上述した実施形態に限定されるものではなく、当業者が想到することができるその他の実施形態であって、本発明の作用・効果を奏する構成は、本発明の範囲に含まれるものである。
【実施例】
【００３４】
以下、本発明のマグネシウムシールド構造について、実施例を用いてより具体的に説明を行なうが、本発明は、後述する実施例に限定されるものではない。
【００３５】
＜マグネシウムシールドの遮蔽効果の検証＞
本発明のマグネシウムシールドの遮蔽効果について、評価実験を行なった。なお、以下の評価実験は、IEC規格（IEC1196-1、IEC61196-1）に準拠した吸収クランプ法による（社団法人電線総合技術センター調べ）。
【００３６】
評価対象として、市販のLANケーブル（カテゴリ６，全長７ｍ，SANWA SUPPLY 製，型番：KB-T6E-07）のシースの上にＩＮ側を始端とし、ＯＵＴ側に向って、マグネシウム合金箔テープ（幅20ｍｍ、厚さ45μｍ、マグネシウム含有率95〜96％、アルミ3%、亜鉛1%、品番AZ31B、日本金属製）を、隙間ができないように、テープ幅を半分程度均等に重ねながら、ＩＮ側から見て反時計回りの螺旋状に巻いたものを用意した。併せて、比較例として、マグネシウム合金箔テープに代えて、同様の手順でアルミ箔テープを巻いたLANケーブル（比較サンプル１）、同様の手順で銅箔テープを巻いたLANケーブル（比較サンプル２）を用意した。
【００３７】
図５（ｂ）〜（ｄ）は、それぞれ、アルミ箔を巻いたLANケーブル（図５中、「Ａｌ−Ｓ」として参照する）、銅箔を巻いたLANケーブル（図５中、「Ｃｕ−Ｓ」として参照する）、および、マグネシウム合金箔テープを巻いたLANケーブル（図５中、「Ｍｇ−Ｓ」として参照する）について結果を示す。なお、図５（ａ）に、シールドを巻かない通常のLANケーブル（図５中、「Ｎｏｒｍａｌ」として参照する）についての測定結果を参照データとして示した。
【００３８】
各グラフにおいて、縦軸は遠端回路における電磁波の放射電力量（dBμV）を、横軸は周波数（MHz）をそれぞれ示し、各グラフの下側には、測定系が持つレベル（感度）を参照データとして示している。また、各グラフの上側には４つの測定線が示されているが、これは、使用した市販のLANケーブルに含まれる４組のケーブル対毎の測定結果に対応している（各ケーブル対は異なるインピーダンスを有する）。
【００３９】
図５（ｂ）および（ｃ）に示されるように、「Ａｌ−Ｓ」および「Ｃｕ−Ｓ」においては、同程度の放射電力量が測定された。一方、図５（ｄ）に示されるように、「Ｍｇ−Ｓ」においては、「Ａｌ−Ｓ」および「Ｃｕ−Ｓ」のそれと比較して格段に小さい放射電力量しか測定されなかった。以上の試験結果から、本発明のマグネシウムシールドが、外部からの電磁波に対して、従来のシールドよりも格段に高い遮蔽効果を有するものであることが示された。
【００４０】
＜マグネシウムシールドが音響に与える影響の検証＞
本発明のマグネシウムシールド構造を適用したケーブルを使用してオーディオ機器を接続し、聴感試験を行なった。
（マグネシウムシールドケーブルの作製）
既存のオーディオケーブルを使用して、本実施例のマグネシウムシールドケーブルを作製した。図６（ａ）〜（ｃ）は、マグネシウムシールドケーブルの作製手順を時系列的に示す図であり、各図においては、各過程におけるケーブルの側面図と断面図（Ａ−Ａ線）を併せて示す。以下、図６を参照して、本実施例のマグネシウムシールドケーブルの作製方法について説明する。
【００４１】
図６（ａ）に示すように、既存のオーディオケーブル３０を用意した。オーディオケーブル３０は、２芯信号線が銅線ブレード１８およびシース２２によって被覆されてなる一般的なＲＣＡケーブル（品番K-1、KRYNA社製、全長1000mm）を使用した。まず、オーディオケーブル３０のシース２２の上に、ＩＮ側を始端とし、ＯＵＴ側に向って、マグネシウム合金箔テープ３２（幅20ｍｍ、厚さ55μｍ、マグネシウム含有率95〜96％、アルミ3%、亜鉛1%、品番AZ31B、日本金属製）を、隙間ができないように、テープ幅を半分程度均等に重ねながら、ＩＮ側から見て反時計回りの螺旋状に巻いていった。なお、上述したのと同様の手順で、マグネシウム合金箔テープ３２を、ＩＮ側から見て時計回りに巻いたものも併せて作製した。
【００４２】
図６（ｂ）は、マグネシウム合金箔テープ３２を巻き終わった状態を示す。図６（ｂ）に示されるように、マグネシウム合金箔テープ３２の始端は、ＩＮ側のピンプラグ１３とショートしないようにし、マグネシウム合金箔テープ３２の終端は、ＯＵＴ側のピンプラグ１２のコールド端子（−）に電気的に接続した。なお、本実施例においては、図７に示すように、ピンプラグ１２（ＯＵＴ側）のボディ１２ｂに設けたネジ穴に、導電性の金属ネジ３４を螺合することによって、ボディ１２ｂを貫通した金属ネジ３４を介してマグネシウム合金箔テープ３２とコールド端子（−）とを電気的に接続した。マグネシウムは、融点が高く、また、温度を高くすると発火の虞があるため、はんだ付けを用いないことが好ましく、図７に示すような方法の他、圧着または圧接によって電気的に接続することが好ましい。
【００４３】
最後に、図６（ｃ）に示すように、マグネシウム合金箔テープ３２を保護するため、熱収縮チューブ３６（品番9.5-12ｍｍ、住友電工社製、全長1000ｍｍ）を使用して、最外周を被覆し、最終サンプルとした。なお、マグネシウム合金箔テープ３２を、ＩＮ側から見て時計回りに巻いたものをサンプル１とし、反時計回りに巻いたものをサンプル２とした。
【００４４】
（聴感試験）
上述した手順で作製したサンプル１およびサンプル２、ならびに、比較例としての既存のオーディオケーブル３０を用いて聴感試験を行なった。具体的には、上記各ケーブルを用いてＣＤ再生装置とアンプとを接続したステレオ装置で、共通のＣＤ音源を再生し、その音色を、音響機器開発のエンジニアに試聴してもらった。
【００４５】
その結果、サンプル１（時計回り）は、比較例に比べて、音の解像度、Ｓ／Ｎ比、定位感、および位相感のいずれもが向上し、また、音質が軽くなったという評価を得た。サンプル２（反時計回り）については、サンプル１（時計回り）について上述したのと同様の評価の他、サンプル１（時計回り）に比較して、音像の高さや奥行き感がより忠実に表現され、ステージが見えやすくなったという非常に高い評価を得た。
【００４６】
以上の試験結果により、本発明のマグネシウムシールド構造をＡＶケーブルに適用した場合、ケーブルを介して侵入する外部ノイズの影響が限界まで排除され、原音が忠実に再現されることが示された。
【符号の説明】
【００４７】
１０…マグネシウムシールドケーブル、１２…ピンプラグ、１３…ピンプラグ、１４…信号線、１６…信号線、１８…銅線ブレード、２０…マグネシウム・シールド層、２２…シース、３０…オーディオケーブル、３２…マグネシウム合金箔テープ、３４…金属ネジ、３６…熱収縮チューブ
【図１】
2013518360.tif 000003
【図２】
2013518360.tif 000004
【図３】
2013518360.tif 000005
【図４】
2013518360.tif 000006
【図５】
2013518360.tif 000007
【図６】
2013518360.tif 000008
【図７】
2013518360.tif 000009
【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
マグネシウムを主成分とするテープ状の金属箔を電線の外周に螺旋状に巻き付けて形成される、電線のシールド構造。
【請求項２】
前記金属箔は、マグネシウム含有率が９５％以上のマグネシウム金属箔である、請求項１に記載の電線のシールド構造。
【請求項３】
前記マグネシウム金属箔は、純マグネシウム箔である、請求項２に記載の電線のシールド構造。
【請求項４】
請求項１〜３のいずれか１項に記載の電線のシールド構造を備える、シールドケーブル。
【請求項５】
電線をシールドする方法であって、マグネシウムを主成分とするテープ状の金属箔を前記電線の外周に螺旋状に巻き付けてシールドする方法。
【国際調査報告】
2013518360.tif 000010
2013518360.tif 000011
2013518360.tif 000012